(57)【要約】【課題】番組情報取得の際にサーバへのアクセスの集中を防ぐことができるサーバ装置およびクライアント装置を提供する。【解決手段】クライアント装置からの番組情報のアクセス権要求に対しこの番組開始前のアクセス権とこのアクセス権の行使タイミングを該クライアント装置に与えるデータベースを備え、このデータベースは前記行使タイミングに該クライアント装置からの前記番組情報の取得要求があった場合に、この番組情報を該クライアント装置に与えるサーバ装置。【選択図】  図５
2013031015.tif 000002
【特許請求の範囲】
【請求項１】
クライアント装置からの番組情報のアクセス権要求に対しこの番組開始前のアクセス権とこのアクセス権の行使タイミングを該クライアント装置に与えるデータベースを備え、
このデータベースは前記行使タイミングに該クライアント装置からの前記番組情報の取得要求があった場合に、この番組情報を該クライアント装置に与えるサーバ装置。
【請求項２】
前記番組情報は最新のランキング情報に基づく設定値を含む請求項１に記載のサーバ装置。
【請求項３】
前記行使タイミングを、アクセス権を取得するのがより早い前記クライアント装置に前記番組開始時間により近くなるように与える請求項１に記載のサーバ装置。
【請求項４】
サーバ装置に番組情報のアクセス権要求を送出してこの番組開始前のアクセス権とこのアクセス権の行使タイミングを該サーバ装置から得るアクセス権取得手段と、
得られたこの行使タイミングに前記番組情報の取得要求を該サーバ装置に行いこの番組情報を取得する番組情報取得手段とを
備えたクライアント装置。
【請求項５】
クライアント装置からの番組情報のアクセス権要求に対しこの番組開始前のアクセス権とこのアクセス権の行使タイミングを該クライアント装置に与え、
前記行使タイミングに該クライアント装置からの前記番組情報の取得要求があった場合に、この番組情報を該クライアント装置に与える録画設定方法。
【請求項６】
サーバ装置に番組情報のアクセス権要求を送出してこの番組開始前のアクセス権とこのアクセス権の行使タイミングを該サーバ装置から得て、
得られたこの行使タイミングに前記番組情報の取得要求を該サーバ装置に行いこの番組情報を取得する録画設定方法。
【発明の詳細な説明】
【技術分野】
【０００１】
本発明の実施形態は、録画用設定制御におけるサーバ装置およびクライアント装置に関する。
【背景技術】
【０００２】
現在では、インターネットに接続することにより、専用サイト（ｉＥＰＧサイト）から番組情報を取得可能な録画再生装置が開発されており、録画予約がより一層便利になってきている。
【０００３】
しかしながら、番組情報をインターネットを介して専用サイトから取得する機能を備えた録画再生装置は、まだまだ開発途上にある段階であり、インターネットを利用した利点を十分に活用しているとは言えないのが現状である。
【０００４】
対して、例えば、特許文献１には、この発明は上記事情を考慮してなされたもので、番組情報を取得するためのネットワークへのアクセスタイミングを動的に設定し、最新の番組情報を効果的なタイミングで取得することを可能とした録画装置及び録画方法、放送受信装置及び放送受信方法を提供することを目的とする旨が記載されている。
【０００５】
操作手段を操作することにより、特定の番組に対する番組情報の取得を要求する情報をネットワークに送出し、該ネットワーク上から番組情報を取得して記録させるようにしたので、番組情報を取得するためのネットワークへのアクセスタイミングを動的に設定し、最新の番組情報を効果的なタイミングで取得することが可能となるとある。
【０００６】
例えば「・・・録画が開始されてから録画が終了される１分までの期間、または、録画が開始されてから１９分が経過するまでの期間内の任意のタイミングで、・・・番組情報取得要求情報としてＥＰＧＤサーバ１５に出力する。」と記載されている。
【０００７】
しかしながら、サーバへのアクセスの集中を防ぐ方法については開示されていなく、よってサーバへのアクセスの集中を防ぐ方法についての要望がある。
【先行技術文献】
【特許文献】
【０００８】
【特許文献１】特開２００５−３３５４６号公報（10頁、段落番号００６７）
【発明の概要】
【発明が解決しようとする課題】
【０００９】
本発明の実施の形態は、番組情報取得の際にサーバへのアクセスの集中を防ぐことができるサーバ装置およびクライアント装置を提供することを目的とする。
【課題を解決するための手段】
【００１０】
上記課題を解決するために、実施形態によればサーバ装置は、クライアント装置からの番組情報のアクセス権要求に対しこの番組開始前のアクセス権とこのアクセス権の行使タイミングを該クライアント装置に与えるデータベースを備え、このデータベースは前記行使タイミングに該クライアント装置からの前記番組情報の取得要求があった場合に、この番組情報を該クライアント装置に与える。
【図面の簡単な説明】
【００１１】
【図１】この発明の実施の形態を示すもので、ネットワークシステムの概略を説明するために示すブロック構成図。
【図２】同実施形態のクライアント構成（ブロック図）が適用された記録再生装置の構成説明図。
【図３】同実施形態の各種データの例を示す説明図。
【図４】同実施形態の録画予約データの例を示す説明図。
【図５】同実施形態に用いられる仮録画設定値取得時のフロー図。
【図６】同実施形態の番組開始直前の録画設定値取得時のフロー図。
【図７】同実施形態に用いられるサーバ・録画機器間の通信を示すシーケンス図。
【発明を実施するための形態】
【００１２】
以下、一実施形態を図１乃至図７を参照して説明する。
図１は、この発明の実施の形態を示すもので、ネットワークシステムの概略を説明するために示すブロック構成図である。図１において、録画機器１１は例えば録画予約機能を備えた録画再生装置としてのビデオレコーダである。
【００１３】
この録画機器１１は、イーサネット（登録商標）規格に準拠したシリアルバス１２を介して、ルータ１３とデータ通信可能に接続されている。そして、このルータ１３は、電話回線によるインターネット１４を介してサーバ１５とデータ通信可能に接続されている。
【００１４】
このサーバ１５は、ＥＰＧ情報を格納したデータベース１６にアクセスし、特定の番組に対する番組情報を取り出すことができる。このデータベース１６には、全ての放送番組に対する番組情報が、常に最新の内容に更新された状態で格納されている。
【００１５】
番組情報としてはこの他に、インターネット１４を介して後述の設定値や最新のランキング情報を得られるように構成されている。
ここで、上記録画機器１１は、詳細は後述するが、サーバ１５に対してクライアントとして、一般には任意のタイミングで、特定の番組に対する番組情報の取得要求を行なうことができる。この場合、録画機器１１は、特定の番組に対する番組情報の取得要求をシリアルバス１２上に出力する。
【００１６】
すると、このシリアルバス１２上に出力された番組情報の取得要求が、ルータ１３及びインターネット１４を介してサーバ１５に供給される。サーバ１５では、供給された番組情報取得要求に基づいてデータベース１６から必要な番組情報を取り出し、インターネット１４上に出力する。
【００１７】
そして、このインターネット１４上に出力された番組情報は、ルータ１３及びシリアルバス１２を介して録画機器１１に供給される。これにより、録画機器１１は、特定の番組に対する番組情報を任意のタイミングで取得する
【００１８】
ことが可能となる。
次に図２として示すのは、実施形態のクライアント構成（ブロック図）が適用された記録再生装置の構成説明図である。
図２では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。
【００１９】
図２において、各ブロックを大きく分けると、左側には記録部の主なブロックを示し，右側には再生部の主なブロックを示している。
図２の記録再生装置は、ディスクドライブ部１００２と、ハードディスクドライブ部２００１の２種類のディスクドライブ部を有する。まず、ディスクドライブ部１００２は、ビデオファイルを構築できる情報記録媒体である第１のメディアとしての光ディスク１００１を回転駆動し、情報の読み書きを実行する。ディスクドライブ部１００２は、光ディスク１００１に対する回転制御系、レーザ駆動系、光学系などを有する。また、ハードディスクドライブ部２００１は、第２のメディアとしてのハードディスクを駆動する。
【００２０】
データプロセッサ部１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系、光学系などを有する。
【００２１】
データプロセッサ部１００３は記録または再生単位のデータを取り扱うもので、バッファ回路、変調・復調回路、エラー訂正部などを含む。
図２の記録再生装置は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００２２】
エンコーダ部５０は基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００２３】
エンコーダ部５０からのエンコード出力は、バッファメモリを含むフォーマッタ５１にて所定のＤＶＤ規格のフォーマットに変換され、先のデータプロセッサ部１００３に供給される。
【００２４】
なおトランスポートストリームから抽出したパケットエレメンタリーストリームがエンコーダ部５０から直接ハードディスクドライブ部２００１のハードディスクに記録される場合もある。
【００２５】
エンコーダ部５０には、スイッチ５３を介して、ＡＶ入力部４１ａからの外部アナログビデオ信号と外部アナログオーディオ信号が入力することができる。またエンコーダ部５０には、放送波受信手段を構成する地上波アナログチューナ４１ｃ、地上波デジタルチューナ４１ｃ、衛星ＢＳ／ＣＳチューナ４１ｅ，衛星アナログチューナ４１ｅからの受信信号が選択的に入力することができる。また、エンコーダ部５０で複数のデコーダが活用される場合、地上波デジタルチューナ４１ｃで受信した番組がハードディスクドライブ部２００１で録画され、同時に、衛星ＢＳ／ＣＳチューナ４１ｄで受信した番組を視聴することも可能である。
【００２６】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。
【００２７】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２８】
副映像信号がＡＶ入力部４１ａから入力された場合（例えば副映像信号の独立出力端子付ＤＶＤビデオプレーヤからの信号など）、あるいはこのようなデータ構成のＤＶＤビデオ信号が放送されてそれがＴＶチューナ部で受信された場合は、ＤＶＤビデオ信号中の副映像信号が副映像エンコーダでエンコード（ランレングス符号化）されて副映像のビットマップとなる。
【００２９】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。フォーマッタ５１は、上記の変換処理のとき、バッファメモリ５２も利用している。
【００３０】
図２の装置は、フォーマッタ５１でフォーマット化された情報（ビデオ、オーディオ、副映像データなどのパック）及び作成された管理情報を、記録再生手段を構成しているデータプロセッサ部１００３を介してハードディスクドライブ部２００１あるいはデータディスクドライブ部１００２に供給し、記録媒体であるハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。
【００３１】
またハードディスクあるいは光ディスク１００１に記録されている複数番組のビデオオブジェクトを、一部削除したり、異なる番組のオブジェクトをつなげたり、といった編集処理を行うこともできる。
【００３２】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３０は、ネットワークインターフェース３０ａを介して、外部ネットワークに接続することが可能である。これにより、外部のサーバから電子番組案内情報（ＤＥＰＧ：Dynamic Electronic Program Guide）を取り込むことも可能である。
【００３３】
さらにマイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００３４】
またマイクロコンピュータブロック３０は、装置の各ブロックを統括して制御するために必要な情報処理部を有するもので、ワークＲＡＭ３１、ディレクトリ検出部３２、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００３５】
またマイクロコンピュータブロック３０は、録画を実行する際の管理情報の制御部３４と、編集を実行する際の管理情報の制御部３３をも備える。
さらに、マイクロコンピュータブロック３０には、録画関連ブロック３５、ＧＵＩ（グラフィックユーザインターフェース）画面制御部３６が設けられている。この録画関連ブロック３５、ＧＵＩ（グラフィックユーザインターフェース）画面制御部３６の動作については、さらにあとで詳しく説明することにする。
【００３６】
ＭＰＵの実行結果のうち、ユーザに通知すべき内容は、映像データ記録再生装置の表示部４３に表示されるか、またはモニターディスプレイにＯＳＤ（オンスクリーンディスプレイ）表示される。
【００３７】
またマイクロコンピュータブロック３０は、この装置を操作するための操作信号を与えるキー入力部４４を有する。このキー入力部４４は、例えば記録再生装置の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザがこのキー入力部４４を操作することにより、入力された映像音声信号の録画処理や、録画されたコンテンツの再生処理、あるいは録画されたコンテンツに対する編集処理などを施すことができる。
【００３８】
なお、マイクロコンピュータブロック３０が、ディスクドライブ部１００２、ハードディスクドライブ部２００１、データプロセッサ部１００３、エンコーダ部５０及び／またはデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００３９】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００４０】
デコーダ部６０の出力ビデオ信号は、ビデオミキシング部７１に入力される。ビデオミキシング部７１では、例えばテキストデータの合成が行われる。またビデオミキシング部７１には、ＴＶチューナやＡＶ入力部４１aからの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。モニタ３００１がＨＤＭＩ入力などデジタル入力が可能な表示器であればデジタルアナログ変換器７４を省くことができる。
【００４１】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナやＡＶ入力部４１aからのデジタル信号を直接モニタする時、エンコーダ部５０をスルーした信号を直接選択することも可能である。
【００４２】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００４３】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００４４】
また本装置では、ＤＶＤに記録するビデオファイルは１ディスクに１ファイルとしている。またデータをアクセス（シーク）している間に、途切れないで再生を続けるために、最低限連続する情報単位（サイズ）を決めている。この単位をCDA（コンティギュアス・データ・エリア）という。ＣＤＡサイズは、ＥＣＣ（エラー訂正コード）ブロック（１６セクタ）の倍数であり、ファイルシステムではこのCDA単位で記録を行っている。
【００４５】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部２００１に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００４６】
以上図２は、実施例のクライアント装置の構成であり、要部は次のようである。マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３０は、ネットワークインターフェース３０ａを介して、外部ネットワークに接続することが可能である。これにより、外部のサーバから番組情報（ＥＰＧ情報）を取り込むことも可能である。番組情報は、４１ｃ、４１ｄのチューナからも取得が可能である。
【００４７】
この番組情報は、例えば、8日以内の情報、のように、取得できる日時の範囲が限定されており、1日1回〜2回程度の頻度で、最新の情報を取得し、更新する。ユーザは、４４キー操作入力部からの操作により、３６GUI画面制御部または４３表示部を見ながら、録画予約の登録操作を行うものである。
【００４８】
ここで図７はサーバ３（サーバ１５相当のもの）と録画機器１間，録画機器２（いずれも録画機器１１相当のもの）間をやりとりする通信内容、そのタイミングを示すシーケンス図である。録画機器１，２は番組録画をする際、サーバ３に番組開始直前のアクセス権を要求する（ステップＳ７１，７３）。サーバ３は応答として、録画機器１，２に番組開始直前のある時刻にサーバにアクセスする権利を与え、ランキング情報から得たサーバが推奨する仮の画質設定、音質設定を与える（ステップＳ７２，７４）。ランキング情報とは、サーバ３が手動で設定された他の録画機器から画質設定、音質設定を集めてランキングを取ったもので、最も多い設定値を各番組ごとにサーバが推奨する設定値とする。
【００４９】
最新のランキング情報に基づく設定値を適用するため、かつ番組開始直前のサーバへのアクセスの集中を防ぐため、録画機器１、２からの予約時のアクセスの際に（ステップＳ７７，７５）、番組開始直前のアクセス権とそのタイミングを録画機器１、２に付与する（ステップＳ７８，７６）。
【００５０】
より詳しく次の図等で説明する。図３は、実施形態の各種データの例を示す説明図である。図３（ａ）は、番組情報データの例（一部）である。図３（ｂ）は、アクセス権データの例である。図３（ｃ）は、サーバ側のデフォルト画質設定,音質設定表の例（一部）である。図３（ｄ）は、アクセス時刻の付与の方法である。また図４は、実施形態の録画予約データの例を示す説明図である。
【００５１】
また図５は、実施形態に用いられる仮録画設定値取得時のフロー図である。図６は、実施形態の番組開始直前の録画設定値取得時のフロー図である。
アクセスする時刻の決定方法は、１台の録画機器がサーバへのアクセスにかかる時間を算出し、早く予約した録画機器ほど番組開始時間に近い時間に、各機器にアクセス可能な時刻を付与するものとする（図３（ｄ））。
【００５２】
これを元に録画機器１，２は録画予約データ、アクセス権データ(図４（ａ）、図３（ｂ）)を生成する。マイクロコンピュータブロック３０を主体とする図５のフローで説明する。
【００５３】
ステップＳ１：  番組録画予約を行う。
ステップＳ２：  サーバにアクセス権を要求する。
ステップＳ３：  番組開始直前のアクセス権（時刻指定）を取得する。
ステップＳ４：  仮録画画質設定、音質設定を取得する。
ステップＳ５：  アクセス権取得、録画の仮画質設定、仮音質設定取得を終了する。
その後、番組開始前、サーバ３が録画機器１，２にアクセス権を与えた時刻(表４-５の例では11/10 10:10に  「おもてなしのテーブル」についてのアクセス権を持っている)に録画機器１，２がアクセスをする。サーバからの応答が返ってきた場合、サーバ３より推奨画質設定、音質設定を取得し、自身が持つ画質設定、音質設定を上書きする。（図４（ｂ）の例では画質設定が8.0Mbpsから17.0Mbpsに、音質設定が中から高に上書きされている）設定値取得フラグを「済」にする(図４（ｂ）)。マイクロコンピュータブロック３０を主体とする図６のフローで説明する。
【００５４】
ステップＳ６：  アクセス権データに記載の時刻となったとの判定を行う。
ステップＳ７：  番組開始直前の設定値取得フラグが済みか否かを判定し済みの場合はステップＳ１１へ進みそうでない場合は次のステップＳ８へ進む。
ステップＳ８：  サーバへの録画画質設定、音質設定の取得要求を行う。サーバ応答なしの場合はステップＳ１０へ進みそうでない場合は次のステップＳ９へ進む。
ステップＳ９：  サーバより録画画質設定、音質設定を取得して録画機器の情報を上書きする。
ステップＳ１０：  番組開始直前の設定値取得フラグを「済」にセットする。
ステップＳ１１：  番組開始直前の設定値取得処理を完了する。
この際、サーバが応答しない場合はアクセスを中止し、あらかじめ与えられている仮の画質設定、音質設定を使うことにする。(図４（ｃ）の例では画質設定が8.0Mbps、音質設定が中で変わらない状態で設定値取得フラグが「済」になっている)
【００５５】
また、サーバに登録された録画画質、録画音質のサンプルが足りずランキング情報を作ることが出来ない場合、サーバ３はジャンル毎にあらかじめ与えられているデフォルトの画質設定、音質設定を推奨画質設定、推奨音質設定として録画機器に与える (図３（ｃ）) 。
【００５６】
以上、録画機器からの番組録画用設定値を取りまとめるサーバと、サーバと通信する録画機器からなるシステムにおいて、次の方法を説明した。
（１）最新のランキング情報に基づく設定値を適用するため、かつ番組開始直前のサーバへのアクセスへの集中を防ぐため、録画機器からの予約時のアクセスの際に、番組開始直前のアクセス権とそのタイミングを録画機器に与える。
【００５７】
（２）上記（１）で番組開始前に多数の録画機器から来るアクセスをサーバが番組開始までに処理することができるように、各録画機器が番組開始前にサーバにアクセスするタイミングをサーバが決定する。この際、サーバはアクセス権を取得するのが早い機器が番組開始時間により近くなるようにアクセスする時刻を各録画機器に与える。
【００５８】
（３）上記（１）で番組開始直前に録画用設定値を各録画機器に送信する際に、アクセス権を取得した録画機器以外の機器への対応によって、録画用設定値の送信が番組開始時に間に合わないことを防ぐために、番組開始直前にサーバへのアクセス禁止時間を設ける。
【００５９】
（４）上記（１）で設定値をランキング情報から決める際に、一定数以上の手動予約による設定値が得られない場合、ジャンル毎にデフォルトで決めている固定の設定値を適用する。
【００６０】
（５）上記（１）でサーバの故障などにより番組開始時に録画用設定値が得られないことを防ぐため、録画予約時にサーバから仮の録画用設定値を取得して保存しておく。
【００６１】
以上説明した実施例によればランキング情報を利用した録画設定を行う際に、番組開始直前時点のランキング情報を取得することでより適切な設定を録画機器に適用することができる。
【００６２】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００６３】
１１…録画機器、１２…シリアルバス、１３…ルータ、１４…インターネット、１５…サーバ、１６…データベース、３０…マイクロコンピュータブロック、３５…録画関連ブロック、３６…ＧＵＩ画面制御部、４１ａ，４１ｂ，４１ｃ，４１ｄ，４１ｅ…チューナ、３００１…モニタ。
【図１】
2013031015.tif 000003
【図２】
2013031015.tif 000004
【図３】
2013031015.tif 000005
【図４】
2013031015.tif 000006
【図５】
2013031015.tif 000007
【図６】
2013031015.tif 000008
【図７】
2013031015.tif 000009